(57)【要約】【課題】複数の受信機および複数の記録領域を有効に活用する技術を提供することを目的とする。【解決手段】録画装置１００は、アンテナを介してテレビ放送を受信する第１チューナ１０１を備え、第１チューナ１０１により各チャンネルのテレビ番組に関する情報を取得する。また、録画装置１００は、ネットワーク６００を介して、チューナ搭載装置２００、第１記録装置３００、第２記録装置４００、チューナ搭載記録装置５００のそれぞれから装置に関する情報を取得する。そして、録画装置１００は、各装置に関する情報をもとに、ネットワーク６００に接続された各装置が備えるチューナや記録領域から、テレビ番組の録画に用いるチューナおよび記録領域を選択して、テレビ番組の録画を行う。【選択図】図１
2015103946.tif 000002
【特許請求の範囲】
【請求項１】
録画の対象とするテレビジョン放送の番組を決定する番組決定手段と、
テレビジョン放送を受信する複数の受信機の情報を取得し、番組のデータが記録される複数の記録領域の情報を取得する情報取得手段と、
前記情報取得手段により取得された前記受信機の情報と前記記録領域の情報とに基づいて、前記番組決定手段により決定された番組の録画に用いる１つの受信機および１つの記録領域を選択する選択手段と
を備えた録画装置。
【請求項２】
前記選択手段により選択された受信機を搭載する受信機搭載装置に対して、当該受信機にて、前記番組決定手段により決定された番組のデータを、前記選択手段により選択された記録領域に記録することを指示する指示手段
をさらに備えたことを特徴とする請求項１に記載の録画装置。
【請求項３】
前記選択手段は、前記情報取得手段により取得された前記受信機の情報に基づいて、前記番組決定手段により決定された番組の放送時間内に他番組の録画に用いられる予約がされていない受信機を選択することを特徴とする請求項１または２に記載の録画装置。
【請求項４】
前記選択手段は、前記情報取得手段により取得された前記記録領域の情報に基づいて、故障する確率が低いと推定される記録領域を優先して選択することを特徴とする請求項１乃至３のいずれか１項に記載の録画装置。
【請求項５】
前記情報取得手段により取得された前記記録領域の情報に基づいて、故障する確率が高いと推定される第１記録領域および故障する確率が低いと推定される第２記録領域を選択する記録領域選択手段と、
前記記録領域選択手段により選択された前記第１記録領域に記録された番組のデータを、当該記録領域選択手段により選択された前記第２記録領域に記録する記録手段と
をさらに備えたことを特徴とする請求項１乃至４のいずれか１項に記載の録画装置。
【請求項６】
前記情報取得手段は、自装置が有する受信機または記録領域の少なくともいずれか一方の情報を取得し、
前記選択手段は、前記情報取得手段により取得された受信機の情報と記録領域の情報とに基づいて、自装置が有する受信機または記録領域の少なくともいずれか一方を選択する
ことを特徴とする請求項１乃至５のいずれか１項に記載の録画装置。
【請求項７】
テレビジョン放送を受信する受信機を搭載する複数の受信機と、
テレビジョン放送の番組のデータが記録される複数の記録領域と、
前記複数の受信機および前記複数の記録領域と通信回線を介して接続される録画手段とを備え、
前記録画手段は、
録画の対象とする番組を決定する番組決定手段と、
複数の受信機の情報と複数の記録領域の情報とを取得する情報取得手段と、
前記情報取得手段により取得された前記受信機の情報と前記記録領域の情報とに基づいて、前記番組決定手段により決定された番組の録画に用いる１つの受信機および１つの記録領域を選択する選択手段と
を備えることを特徴とする録画システム。
【請求項８】
コンピュータに、
録画の対象とするテレビジョン放送の番組を決定する機能と、
テレビジョン放送を受信する複数の受信機の情報を取得し、番組のデータが記録される複数の記録領域の情報を取得する機能と、
取得された前記受信機の情報と前記記録領域の情報とに基づいて、決定された番組の録画に用いる１つの受信機および１つの記録領域を選択する機能と
を実現させるためのプログラム。
【発明の詳細な説明】
【技術分野】
【０００１】
本発明は、録画装置、録画システム及びプログラムに関する。
【背景技術】
【０００２】
従来、テレビ番組を録画する技術として、録画機能を有する複数の機器を利用してテレビ番組の録画を行う技術が存在する。
例えば、特許文献１には、ユーザは、録画予約時刻の重複や記録媒体の空き容量等を考慮せずに、効率的に複数の録画装置に対して複数のテレビジョン番組の録画予約が可能な録画システムについて記載されている。特許文献１に記載のテレビジョン放送受信装置は、ビデオレコーダ、ＤＶＤレコーダに録画予約情報及び録画装置情報を要求し、ビデオレコーダ、ＤＶＤレコーダより録画予約情報及び録画装置情報を受信し、これらの情報を、テーブルを作成して記憶する。そして、テレビジョン放送受信装置は、記憶した録画予約情報及び空き容量の情報に基づいて録画予約テーブルを作成して各録画装置に対する録画設定情報を管理する。また、テレビジョン放送受信装置は、空き容量の情報に基づいてお勧め番組の録画が可能な録画装置を判断し、録画が可能な録画装置に対してお勧め番組からなる録画設定情報を送信して録画予約を行う。
また、例えば、特許文献２には、録画機能を有する複数の電子機器と、これら電子機器にて録画された番組の録画情報及び録画番組の視聴情報を一元管理するサーバ装置とが、通信回線を介して相互通信可能に接続された自動録画システムについて記載されている。特許文献２に記載の電子機器は、サーバ管理情報記録部に記録されている視聴情報と、自装置情報記録手段に記録されている視聴情報とを比較する。そして、同じ番組の視聴情報があるか否かを判断する。同じ番組の視聴情報があれば、電子機器は、自装置情報記録部に記録されている録画情報と重複しない他の録画情報の番組を録画予約番組として設定し、ユーザ自身は何も設定しなくても番組が新たに録画予約され、自動的に録画される。
【先行技術文献】
【特許文献】
【０００３】
【特許文献１】特開２００９−１７０４８号公報
【特許文献２】特開２００９−９４７１６号公報
【発明の概要】
【発明が解決しようとする課題】
【０００４】
システム内に複数の受信機および複数の記録領域が存在する場合に、より多くのテレビ番組を録画可能にするには、それらを有効に活用することが望ましい。
本発明は、複数の受信機および複数の記録領域を有効に活用する技術を提供することを目的とする。
【課題を解決するための手段】
【０００５】
上記の目的を達成する本発明は、録画の対象とするテレビジョン放送の番組を決定する番組決定手段と、テレビジョン放送を受信する複数の受信機の情報を取得し、番組のデータが記録される複数の記録領域の情報を取得する情報取得手段と、前記情報取得手段により取得された前記受信機の情報と前記記録領域の情報とに基づいて、前記番組決定手段により決定された番組の録画に用いる１つの受信機および１つの記録領域を選択する選択手段とを備えた録画装置である。
ここで、前記選択手段により選択された受信機を搭載する受信機搭載装置に対して、当該受信機にて、前記番組決定手段により決定された番組のデータを、前記選択手段により選択された記録領域に記録することを指示する指示手段をさらに備えたことを特徴とすることができる。
また、前記選択手段は、前記情報取得手段により取得された前記受信機の情報に基づいて、前記番組決定手段により決定された番組の放送時間内に他番組の録画に用いられる予約がされていない受信機を選択することを特徴とすることができる。
さらに、前記選択手段は、前記情報取得手段により取得された前記記録領域の情報に基づいて、故障する確率が低いと推定される記録領域を優先して選択することを特徴とすることができる。
また、前記情報取得手段により取得された前記記録領域の情報に基づいて、故障する確率が高いと推定される第１記録領域および故障する確率が低いと推定される第２記録領域を選択する記録領域選択手段と、前記記録領域選択手段により選択された前記第１記録領域に記録された番組のデータを、当該記録領域選択手段により選択された前記第２記録領域に記録する記録手段とをさらに備えたことを特徴とすることができる。
さらに、前記情報取得手段は、自装置が有する受信機または記録領域の少なくともいずれか一方の情報を取得し、前記選択手段は、前記情報取得手段により取得された受信機の情報と記録領域の情報とに基づいて、自装置が有する受信機または記録領域の少なくともいずれか一方を選択することを特徴とすることができる。
【０００６】
また、他の観点から捉えると、本発明は、テレビジョン放送を受信する受信機を搭載する複数の受信機と、テレビジョン放送の番組のデータが記録される複数の記録領域と、前記複数の受信機および前記複数の記録領域と通信回線を介して接続される録画手段とを備え、前記録画手段は、録画の対象とする番組を決定する番組決定手段と、複数の受信機の情報と複数の記録領域の情報とを取得する情報取得手段と、前記情報取得手段により取得された前記受信機の情報と前記記録領域の情報とに基づいて、前記番組決定手段により決定された番組の録画に用いる１つの受信機および１つの記録領域を選択する選択手段とを備えることを特徴とする録画システムである。
さらに、他の観点から捉えると、本発明は、コンピュータに、録画の対象とするテレビジョン放送の番組を決定する機能と、テレビジョン放送を受信する複数の受信機の情報を取得し、番組のデータが記録される複数の記録領域の情報を取得する機能と、取得された前記受信機の情報と前記記録領域の情報とに基づいて、決定された番組の録画に用いる１つの受信機および１つの記録領域を選択する機能とを実現させるためのプログラムである。
【発明の効果】
【０００７】
本発明によれば、複数の受信機および複数の記録領域を有効に活用する技術を提供することができる。
【図面の簡単な説明】
【０００８】
【図１】本実施の形態に係る録画システムの概略構成の一例を示す図である。
【図２】本実施の形態に係る録画装置のハードウェア構成例を示す図である。
【図３】本実施の形態に係る録画装置の機能構成例を示すブロック図である。
【図４】（ａ）は、チューナに関する装置関連情報の一例を示す図である。（ｂ）は、記録領域に関する装置関連情報の一例を示す図である。
【図５】録画装置による装置関連情報の取得手順の一例を示すフローチャートである。
【図６】録画装置による録画処理手順の一例を示すフローチャートである。
【図７】録画装置によるバックアップ処理手順の一例を示すフローチャートである。
【図８】録画装置による装置関連情報の取得手順の他の例を示すフローチャートである。
【発明を実施するための形態】
【０００９】
以下、添付図面を参照して、本発明の実施の形態について詳細に説明する。
＜システム構成＞
図１は、本実施の形態に係る録画システム１の概略構成の一例を示す図である。本実施の形態に係る録画システム１は、通信回線の一例としてのネットワーク６００に接続された、録画装置１００、チューナ搭載装置２００、第１記録装置３００、第２記録装置４００、チューナ搭載記録装置５００を備えている。
【００１０】
録画装置１００は、アンテナ（不図示）を介して、テレビジョン放送（以下、テレビ放送と称する）、即ち、地上デジタル放送、ＢＳ（Broadcasting Satellite）放送、ＣＳ（Communications Satellite）放送等の放送波を受信する第１チューナ１０１を備えている。そして、録画装置１００は、第１チューナ１０１により、放送信号に重畳して送信される各チャンネルのテレビ番組に関する情報を取得する。テレビ番組に関する情報は、ＥＰＧ（Electronic program guide）と呼ばれる電子番組表のデータであり、テレビ番組が放送されるチャンネル、テレビ番組を識別するための識別子（以下、番組ＩＤと称する）、テレビ番組の開始時刻、テレビ番組の放送時間、テレビ番組名等が含まれる。
【００１１】
また、録画装置１００は、ネットワーク６００を介して、チューナ搭載装置２００、第１記録装置３００、第２記録装置４００、チューナ搭載記録装置５００のそれぞれから装置に関する情報（以下、装置関連情報と称する）を取得する。そして、詳しくは後述するが、録画装置１００は、装置関連情報をもとに、ネットワーク６００に接続された各装置が備えるチューナや記録領域から、テレビ番組の録画に用いるチューナおよび記録領域を選択してテレビ番組の録画を行う。また、録画装置１００は、記録領域に記録されたテレビ番組のデータについて、装置の故障等によりデータが消失したとしても復旧できるように、バックアップ処理を行う。本実施の形態では、録画手段の一例として、録画装置１００を用いている。
【００１２】
チューナ搭載装置２００は、例えば、２画面を有するテレビであり、第２チューナ２０１および第３チューナ２０２を備え、第２チューナ２０１または第３チューナ２０２によりテレビ放送の放送波を受信する。本実施の形態では、受信機の一例として、第２チューナ２０１、第３チューナ２０２を用いている。また、受信機搭載装置の一例として、チューナ搭載装置２００を用いている。
【００１３】
第１記録装置３００は、例えば、ＮＡＳ（Network Attached Storage）や外付け用ハードディスクであり、第１記録領域３０１を備え、テレビ番組のデータを第１記録領域３０１に記録する。ＮＡＳとは、ネットワークに接続して利用されるハードディスクである。また、第２記録装置４００も第１記録装置３００と同様に、第２記録領域４０１を備え、テレビ番組のデータを第２記録領域４０１に記録する。
【００１４】
チューナ搭載記録装置５００は、例えば、テレビ番組録画用のレコーダであり、第４チューナ５０１および第３記録領域５０２を備え、第４チューナ５０１によりテレビ放送の放送波を受信し、また、テレビ番組のデータを第３記録領域５０２に記録する。本実施の形態では、受信機の一例として、第４チューナ５０１を用いている。また、受信機搭載装置の一例として、チューナ搭載記録装置５００を用いている。
【００１５】
ネットワーク６００は、録画装置１００、チューナ搭載装置２００、第１記録装置３００、第２記録装置４００、チューナ搭載記録装置５００の間の情報通信に用いられる通信手段であり、例えば、インターネットや公衆回線、無線ネットワーク、ＬＡＮ（Local Area Network）である。また、各装置間の通信においては、例えば、ＤＬＮＡ（Digital Living Network Alliance）ガイドラインに規定されるＵＰｎＰ（Universal Plug and Play）やＤＴＣＰ−ＩＰ（Digital Transmission Content Protection over Internet Protocol）等の規格が用いられる。ＤＬＮＡとは、主に家庭内のＬＡＮを用いて装置を相互に接続し、連携して利用するための技術仕様を策定する業界団体であり、その技術仕様としてＤＬＮＡガイドラインが規定されている。ＵＰｎＰとは、主に家庭内の機器を対象とし、ネットワークに接続された機器が自動的に認識されて他の機器と相互に通信できるようにする規格である。また、ＤＴＣＰ−ＩＰとは、著作権で保護されたコンテンツを伝送するための規格である。
【００１６】
＜録画装置のハードウェア構成＞
次に、録画装置１００のハードウェア構成について説明する。図２は、本実施の形態に係る録画装置１００のハードウェア構成例を示す図である。図示するように、録画装置１００は、第１チューナ１０１と、演算手段であるＣＰＵ（Central Processing Unit）１０２と、記憶手段であるＲＯＭ（Read Only Memory）１０３、ＲＡＭ（Random Access Memory）１０４、記憶部１０５とを備える。ＲＯＭ１０３には、各種プログラム等が記憶されており、ＲＡＭ１０４は、ＣＰＵ１０２による各種プログラムの実行時における作業エリア等として用いられる。また、記憶部１０５は、例えば、各種プログラムにおける入力データや出力データ等を記憶する領域である。さらに、録画装置１００は、外部との通信を行うための通信Ｉ／Ｆ１０６、ビデオメモリやディスプレイ等からなる表示機構１０７、キーボードやマウス等の入力デバイス１０８を備える。
【００１７】
＜録画装置の機能構成＞
次に、録画装置１００の機能構成について説明する。図３は、本実施の形態に係る録画装置１００の機能構成例を示すブロック図である。
録画装置１００は、録画の対象とするテレビ番組を決定する番組決定部１１１と、各テレビ番組の情報や、録画の対象とするテレビ番組を決定する際に用いられる情報を格納する番組情報格納部１１２と、チューナまたは記録領域の少なくともいずれか一方を備えている装置から装置関連情報を取得する装置情報取得部１１３とを備える。また、録画装置１００は、装置関連情報を格納する装置情報格納部１１４と、録画に用いられるチューナ及び記録領域を選択する装置選択部１１５と、チューナを搭載する装置に対してテレビ番組を録画するように指示を行う処理実行部１１６とを備える。
【００１８】
番組決定部１１１、装置情報取得部１１３、装置選択部１１５、処理実行部１１６は、例えば、図２に示したＣＰＵ１０２により実現される。より具体的には、録画装置１００の機能を実現するプログラムがＲＯＭ１０３に格納されており、ＣＰＵ１０２が、ＲＯＭ１０３に格納されているプログラムを読み出し、ＲＡＭ１０４を作業エリアにしてプログラムを実行することで、録画装置１００の各機能が実現される。番組決定部１１１は、さらに、例えば、図２に示した第１チューナ１０１により実現される。また、番組情報格納部１１２、装置情報格納部１１４は、例えば、図２に示した記憶手段である記憶部１０５等により実現される。
【００１９】
番組決定手段の一例としての番組決定部１１１は、録画の対象とするテレビ番組（以下、録画対象番組と称する）を決定する。ここで、番組決定部１１１は、まず、第１チューナ１０１により、放送される予定の各チャンネルのテレビ番組の情報を受信し、受信したテレビ番組の情報を番組情報格納部１１２に格納する。また、番組決定部１１１は、番組情報格納部１１２に格納されるテレビ番組の情報が常に最新のものとなるように、随時テレビ番組の情報を受信する。
【００２０】
そして、番組決定部１１１は、受信したテレビ番組の情報をもとに、録画対象番組を決定する。例えば、番組決定部１１１は、ユーザが予め設定したキーワードに基づき、番組名にキーワードが含まれる番組をユーザの嗜好に合うテレビ番組として、優先的に録画対象番組に決定する。ただし、録画対象番組を決定する手順はこのような構成に限られるものではなく、例えば、番組決定部１１１は、ユーザが録画の対象として予め設定したチャンネル、録画を開始する時刻として予め設定した時刻の情報に基づき、設定されたチャンネルの番組を、設定された開始時刻から順番に録画対象番組として決定することとしても良い。番組決定部１１１は、決定した録画対象番組の情報を装置選択部１１５に送信する。
【００２１】
また、番組決定部１１１は、バックアップ処理において、録画対象番組の決定手順と同様にして、バックアップの対象とするテレビ番組（以下、バックアップ対象番組と称する）を決定する。そして、番組決定部１１１は、決定したバックアップ対象番組の情報を、装置選択部１１５に送信する。
【００２２】
番組情報格納部１１２は、番組決定部１１１により受信されたテレビ番組の情報を格納する。また、番組情報格納部１１２は、番組決定部１１１が録画対象番組やバックアップ対象番組を決定する際に用いる情報、即ち、ユーザが予め設定したキーワード等の嗜好情報や、録画の対象とするチャンネル、録画を開始する時刻等の情報を格納する。
【００２３】
情報取得手段の一例としての装置情報取得部１１３は、ネットワーク６００を介して、録画システム１においてチューナまたは記録領域の少なくともいずれか一方を備えている他装置、即ち、チューナ搭載装置２００、第１記録装置３００、第２記録装置４００、チューナ搭載記録装置５００のそれぞれから装置関連情報を取得する。ここで、装置情報取得部１１３は、各装置に対して装置関連情報の送信を要求し、各装置から装置関連情報を取得する。そして、装置情報取得部１１３は、取得した装置関連情報を装置情報格納部１１４に格納する。また、装置情報取得部１１３は、各装置に対して予め定められた期間ごとに装置関連情報の送信要求を行い、定期的に各装置の装置関連情報を更新する。
【００２４】
また、装置関連情報の詳細については後述するが、チューナに関する装置関連情報と記録領域に関する装置関連情報とで内容が異なる。チューナに関する装置関連情報には、例えば、チューナが受信可能なテレビ放送の種類、録画の予約がされているテレビ番組の情報（以下、予約情報と称する）等が含まれる。また、記録領域に関する装置関連情報には、例えば、記録領域が記憶可能なデータの総容量や、使用中の容量等の情報が含まれる。
【００２５】
装置情報格納部１１４は、装置情報取得部１１３により取得された装置関連情報を格納する。
【００２６】
選択手段の一例としての装置選択部１１５は、番組決定部１１１により決定された録画対象番組の情報と、装置情報格納部１１４に格納された装置関連情報とに基づいて、アンテナを介して録画対象番組のデータを受信する１つのチューナ、および録画対象番組のデータを記録する１つの記録領域を選択する。即ち、装置選択部１１５は、録画対象番組の録画のために、第２チューナ２０１、第３チューナ２０２、第４チューナ５０１からチューナを１つ選択し、第１記録領域３０１、第２記録領域４０１、第３記録領域５０２から記録領域を１つ選択する。そして、装置選択部１１５は、録画対象番組の情報と、録画対象番組の録画のために選択したチューナ（以下、録画チューナと称する）および記録領域（以下、録画記録領域と称する）の情報とを、処理実行部１１６に送信する。
【００２７】
ここで、まず、装置選択部１１５は、録画対象番組の情報をもとに、録画対象番組を録画するのに必要となるデータ量を算出する。次に、装置選択部１１５は、装置関連情報をもとに、残りの容量が、録画対象番組を録画するのに必要となるデータ量以上である記録領域を録画記録領域の候補とする。そして、装置選択部１１５は、候補とした記録領域のうち、故障する確率が低いと推定される記録領域を優先して録画記録領域とする。
【００２８】
故障する確率の推定には、推定するための指標（以下、故障推定指標と称する）として、例えば、記録領域が初めて使用された日時や、記録領域がアクセスされた積算時間、ＭＴＢＦ（Mean Time Between Failure）等が用いられる。ＭＴＢＦとは、装置が故障してから次に故障するまでの平均的な間隔であり、装置の信頼性の指標として用いられる値である。即ち、装置選択部１１５は、記録領域の中で、初めて使用された日時が最近である記録領域や、アクセスされた積算時間が短い記録領域、ＭＴＢＦが大きい記録領域を優先して録画記録領域とする。ただし、装置選択部１１５は、故障する確率を推定できる指標であれば、故障推定指標としてどのようなものを用いても良いものとする。そして、装置選択部１１５は、最終的に候補として残った記録領域から録画記録領域を選択する。
【００２９】
また、装置選択部１１５は、装置関連情報をもとに、各チューナについて、録画対象番組の放送時間内に他番組の録画予約が存在しているか否かを判定する。そして、装置選択部１１５は、他番組の予約時間が録画対象番組の放送時間と重複しているチューナについては録画チューナの候補から除外し、最終的に候補として残ったチューナから録画チューナを選択する。また、装置選択部１１５は、選択した録画チューナに関して、録画対象番組の情報を録画チューナの予約情報として装置情報格納部１１４に格納する。
【００３０】
さらに、記録領域選択手段の一例としての装置選択部１１５は、バックアップ処理において、故障推定指標に基づき、第１記録領域３０１、第２記録領域４０１、第３記録領域５０２から、故障する確率が高いと推定される記録領域をバックアップ元の記録領域として選択する。また、装置選択部１１５は、故障推定指標に基づき、第１記録領域３０１、第２記録領域４０１、第３記録領域５０２から、故障する確率が低いと推定される記録領域をバックアップ先の記録領域として選択する。そして、装置選択部１１５は、バックアップ対象番組の情報と、バックアップ元の記録領域およびバックアップ先の記録領域の情報とを、処理実行部１１６に送信する。
【００３１】
指示手段の一例としての処理実行部１１６は、装置選択部１１５から送信された録画対象番組、録画チューナおよび録画記録領域の情報に基づいて、録画チューナを搭載する装置に対して、録画チューナにて録画対象番組のデータを録画記録領域に記録するように指示を行う。また、例えば、ユーザは、録画チューナに対して直接設定を行うことによりテレビ番組の録画予約をする場合もあるため、録画チューナが録画対象番組の録画に使用されることを、録画チューナにてユーザが確認できるようにすることが望ましい。そのため、処理実行部１１６は、予約情報として、録画チューナを搭載する装置に対して録画対象番組の情報も送信する。
【００３２】
また、記録手段の一例としての処理実行部１１６は、バックアップ処理において、装置選択部１１５から送信されたバックアップ対象番組、バックアップ元の記録領域およびバックアップ先の記録領域の情報に基づいて、バックアップ元の記録領域に記録されたバックアップ対象番組のデータを、バックアップ先の記録領域に記録する。
【００３３】
＜装置関連情報＞
次に、装置関連情報について説明する。図４（ａ）（ｂ）は、装置情報格納部１１４に格納される装置関連情報の一例を示す図である。図４（ａ）は、チューナに関する装置関連情報の一例を示す図であり、図４（ｂ）は、記録領域に関する装置関連情報の一例を示す図である。
【００３４】
図４（ａ）に示す装置関連情報には、「機器ＩＤ」、「種類」、「使用状態」、「予約個数」、「チャンネル」、「番組ＩＤ」、「開始時刻」が示されている。「機器ＩＤ」は、機器を識別するための識別子を示す。図４（ａ）に示す例では、「機器ＩＤ」の２０１、２０２、５０１はそれぞれ、第２チューナ２０１、第３チューナ２０２、第４チューナ５０１を表す。「種類」は、チューナが受信可能なテレビ放送の種類を示す。地上波、ＢＳ、ＣＳはそれぞれ、地上デジタル放送、ＢＳ放送、ＣＳ放送が受信可能であることを表す。
【００３５】
「使用状態」は、チューナの現在の使用状態を示し、「未使用」であれば現在使用されていないためテレビ番組の録画に使用できること、「使用中」であれば現在使用されておりテレビ番組の録画に使用できないことを表す。「予約個数」は、チューナに登録されている予約情報の個数を示す。「チャンネル」は、録画の予約がされているテレビ番組のチャンネルを示す。「番組ＩＤ」は、録画の予約がされているテレビ番組の番組ＩＤを示す。「開始時刻」は、録画の予約がされているテレビ番組が開始する時刻を示す。
【００３６】
図４（ａ）に示す例では、例えば、第２チューナ２０１において予約情報が３つ登録されており、チャンネルが１、番組ＩＤが１００１で、２０１３年１０月１日の１５時に開始するテレビ番組を録画する予約がされており、他に２つのテレビ番組を録画する予約がされている。また、例えば、第４チューナ５０１においては予約情報が登録されていないため、「チャンネル」、「番組ＩＤ」、「開始時刻」にはデータが存在しない。
【００３７】
次に、図４（ｂ）に示す装置関連情報には、「機器ＩＤ」、「総容量」、「使用中容量」、「初回使用日時」、「積算アクセス時間」、「ＭＴＢＦ」が示されている。「機器ＩＤ」は、機器を識別するための識別子を示し、図４（ｂ）に示す例では、「機器ＩＤ」の３０１、４０１、５０２はそれぞれ、第１記録領域３０１、第２記録領域４０１、第３記録領域５０２を表す。「総容量」は、記録領域が記録可能なデータの総容量を示す。「使用中容量」は、使用されている容量を示す。図４（ｂ）に示す例では、例えば、第１記録領域３０１の総容量は２ＴＢ（terabyte）であり、そのうち使用されている容量は５００ＧＢ（Gigabyte）である。
【００３８】
「初回使用日時」は、記録領域が初めて使用された日時を示す。「積算アクセス時間」は、記録領域がこれまでにアクセスされた積算の時間を示す。「ＭＴＢＦ」は、記録領域のＭＴＢＦを示す。図４（ｂ）に示す例では、例えば、第１記録領域３０１において、２００９年６月１３日の９時に初めて使用され、それから１２０００時間アクセスされ、ＭＴＢＦは２０万時間である。また、「初回使用日時」、「積算アクセス時間」、「ＭＴＢＦ」は、故障推定指標の例であり、装置関連情報に故障推定指標として他の指標が存在する場合もあるものとする。また、第１記録装置３００、第２記録装置４００、チューナ搭載記録装置５００が故障推定指標の情報を保持していない場合、録画装置１００が故障推定指標の情報を保持するものとする。例えば、録画装置１００は、最初に第１記録領域３０１に操作を行った日時を初回使用日時として記憶しておき、第１記録領域３０１の故障推定指標として用いれば良い。
【００３９】
＜装置関連情報の取得手順＞
次に、録画装置１００が各装置から装置関連情報を取得する手順について説明する。図５は、録画装置１００による装置関連情報の取得手順の一例を示すフローチャートである。図５に示す一連の処理は、例えば、上述したＤＬＮＡ（ＵＰｎＰ、ＤＴＣＰ−ＩＰ）等の仕様に基づいて行われるものとする。また、図５に示す一連の処理は、例えば、１時間、１日等の予め定められた期間ごとに行われる。
【００４０】
まず、装置情報取得部１１３は、ネットワーク６００を介して、録画システム１においてチューナまたは記録領域の少なくともいずれか一方を備えている他装置の有無を検出する（ステップ１０１）。例えば、ＵＰｎＰの場合、装置情報取得部１１３は、ネットワーク６００を介してＭ−ＳＥＡＲＣＨと呼ばれるメッセージをマルチキャストパケットとして送信し、マルチキャストパケットを受信した装置が装置情報取得部１１３に対して応答を返信することにより、装置の検出が行われる。
【００４１】
次に、装置情報取得部１１３は、検出した装置に対して装置関連情報の送信を要求し、各装置から装置関連情報を取得する（ステップ１０２）。例えば、ＵＰｎＰの場合、装置情報取得部１１３は、装置関連情報として、装置が提供できる機能を記述したＸＭＬ（Extensible Markup Language）ファイルであるデバイスデスクリプションと、提供される機能について記述したＸＭＬファイルであるサービスデスクリプションとを、装置ごとに取得する。そして、装置情報取得部１１３は、取得した装置関連情報を装置情報格納部１１４に格納する（ステップ１０３）。装置関連情報としては、チューナに関する装置関連情報、または記録領域に関する装置関連情報として格納される。
このようにして、装置情報取得部１１３は、ネットワーク６００を介して各装置から定期的に装置関連情報を取得する。
【００４２】
＜録画処理の手順＞
次に、録画対象番組を録画する処理が実行される手順について説明する。図６は、録画装置１００による録画処理手順の一例を示すフローチャートである。図６に示す一連の処理は、装置情報取得部１１３が、図５に示す手順により装置関連情報を取得するタイミングで行われる。以下では、録画装置１００は、毎日午前０時に図６に示す一連の処理を行い、午前０時以降に放送される１日分のテレビ番組の録画の予約を行うものとして説明する。また、図６に示す手順では、初期状態として、番組決定部１１１が、放送される予定の各チャンネルのテレビ番組の情報を受信しているものとする。
【００４３】
まず、装置情報取得部１１３は、各装置から装置関連情報を取得する（ステップ２０１）。そして、装置情報取得部１１３は、装置関連情報を装置情報格納部１１４に格納する。次に、番組決定部１１１は、受信したテレビ番組の情報と、予め設定されたユーザの嗜好情報や、録画の対象とするチャンネル、録画を開始する時刻等の情報とに基づいて、録画対象番組として決定する番組が存在するか否かを判定する（ステップ２０２）。例えば、番組決定部１１１は、番組名にユーザが予め設定したキーワードが含まれるものがなければ、録画対象番組として決定する番組は存在しないと判定する。録画対象番組として決定する番組が存在しなければ（ステップ２０２でＮｏ）、本処理フローは終了する。
【００４４】
一方、録画対象番組として決定する番組が存在すれば（ステップ２０２でＹｅｓ）、番組決定部１１１は、録画対象番組として決定する番組を１つ選択する（ステップ２０３）。次に、装置選択部１１５は、番組決定部１１１により選択された録画対象番組の情報と、装置情報格納部１１４に格納された装置関連情報とに基づいて、第１記録領域３０１、第２記録領域４０１、第３記録領域５０２のうち、録画対象番組のデータを記録可能な記録領域が存在するか否かを判定する（ステップ２０４）。ここで、装置選択部１１５は、残りの容量が、録画対象番組を録画するのに必要となるデータ量以上である記録領域を録画記録領域の候補とする。録画記録領域の候補が存在しなければ、装置選択部１１５は、録画対象番組のデータを記録可能な記録領域が存在しないと判定し（ステップ２０４でＮｏ）、後述するステップ２１０に移行する。
【００４５】
一方、録画記録領域の候補が存在すれば、装置選択部１１５は、録画対象番組のデータを記録可能な記録領域が存在すると判定し（ステップ２０４でＹｅｓ）、候補とした記録領域から録画記録領域を選択する（ステップ２０５）。ここで、装置選択部１１５は、候補とした記録領域において、初回使用日時、積算アクセス時間、ＭＴＢＦ等をもとにして、優先して録画記録領域とするものを選択する。さらに、装置選択部１１５は、最終的に候補として残った記録領域から、例えば、第１記録領域３０１、第２記録領域４０１、第３記録領域５０２が各録画対象番組に対して順番に録画記録領域となるように、録画記録領域を選択する。また、装置選択部１１５は、最終的に候補として残った記録領域から、例えば、残りの容量が最も大きい記録領域を録画記録領域として選択する。ただし、録画記録領域を選択する手順はこのような構成に限られず、装置選択部１１５は、最終的に候補として残った記録領域から何らかの手順により録画記録領域を選択すれば良いものとする。
【００４６】
次に、装置選択部１１５は、番組決定部１１１により選択された録画対象番組の情報と、装置情報格納部１１４に格納された装置関連情報とに基づいて、第２チューナ２０１、第３チューナ２０２、第４チューナ５０１のうち、録画対象番組の録画に使用可能なチューナが存在するか否かを判定する（ステップ２０６）。ここで、装置選択部１１５は、装置関連情報をもとに、各チューナについて、録画対象番組の放送時間内に他番組に関する録画の予約が存在しているか否かを判定する。そして、装置選択部１１５は、他番組の予約時間が録画対象番組の放送時間と重複しているチューナについては録画チューナの候補から除外する。録画チューナの候補が存在しなければ、装置選択部１１５は、録画対象番組の録画に使用可能なチューナが存在しないと判定し（ステップ２０６でＮｏ）、後述するステップ２１０に移行する。
【００４７】
一方、録画チューナの候補が存在すれば、装置選択部１１５は、録画対象番組の録画に使用可能なチューナは存在すると判定し（ステップ２０６でＹｅｓ）、候補としたチューナから録画チューナを選択する（ステップ２０７）。ここで、装置選択部１１５は、最終的に候補として残ったチューナから、例えば、第２チューナ２０１、第３チューナ２０２、第４チューナ５０１が各録画対象番組に対して順番に録画チューナとなるように、録画チューナを選択する。ただし、録画チューナを選択する手順はこのような構成に限られず、装置選択部１１５は、最終的に候補として残ったチューナから何らかの手順により録画チューナを選択すれば良いものとする。
【００４８】
次に、装置選択部１１５は、録画対象番組の情報を録画チューナの予約情報として、装置情報格納部１１４に格納し、装置関連情報を更新する（ステップ２０８）。また、装置選択部１１５は、録画対象番組、録画チューナおよび録画記録領域の情報を処理実行部１１６に送信する。そして、処理実行部１１６は、装置選択部１１５から録画対象番組および録画チューナの情報を受信すると、録画チューナを搭載する装置に対して、録画チューナにて録画対象番組のデータを録画記録領域に記録して録画を実行する指示を送信する（ステップ２０９）。また、処理実行部１１６は、録画チューナの予約情報として、録画チューナを搭載する装置に対して、録画対象番組の情報を送信する。
【００４９】
次に、番組決定部１１１は、録画対象番組として決定した全ての番組を選択したか否かを判定する（ステップ２１０）。まだ選択されていない番組があれば（ステップ２１０でＮｏ）、ステップ２０３に移行する。一方、録画対象番組として決定した全ての番組が選択されていれば（ステップ２１０でＹｅｓ）、全ての録画対象番組について可能な限り録画の予約が行われたこととなり、本処理フローは終了する。
【００５０】
このようにして、録画装置１００は、録画対象番組を決定し、各録画対象番組に対して録画チューナおよび録画記録領域の組み合わせを選択する。そして、処理実行部１１６は、録画チューナを搭載する装置に対して、録画チューナにて録画対象番組のデータを録画記録領域に記録して、録画を実行する旨の指示を行う。
【００５１】
また、ステップ２０４において、装置選択部１１５は、残りの容量が、録画対象番組を録画するのに必要となるデータ量以上である記録領域を録画記録領域の候補としたが、録画の予約状況も考慮した上で候補を決めることとしても良い。この場合、装置選択部１１５は、例えば、各記録領域において、他の録画対象番組を録画するために予約されているものについては、残りの容量から予約がされている番組を録画するのに必要となるデータ量を差し引いたものを使用可能な容量とする。そして、ステップ２０４において、装置選択部１１５は、使用可能な容量が録画対象番組を録画するのに必要となるデータ量以上である記録領域を、録画記録領域の候補とする。
【００５２】
また、ステップ２０９において、処理実行部１１６は、装置選択部１１５から録画対象番組および録画チューナの情報を受信すると、録画チューナを搭載する装置に対して録画の指示を行うこととしたが、このような構成に限られるものではない。例えば、処理実行部１１６は、録画対象番組の開始時刻になると、録画チューナを搭載する装置に対して録画の指示を行うこととしても良い。
【００５３】
また、上述の図６の説明では、録画装置１００は、毎日午前０時に図６に示す一連の処理を行い、午前０時以降に放送される１日分のテレビ番組の録画の予約を行うものとしたが、このような構成に限られるものではない。例えば、録画装置１００は、１分などの短い間隔で図６に示す一連の処理を行い、１分後の時点までに放送が開始されるテレビ番組の録画の予約を行うものとしても良い。
【００５４】
この場合、ステップ２０１において、装置情報取得部１１３は１分ごとに各装置から装置関連情報を取得する。また、ステップ２０６において、装置選択部１１５は、使用可能なチューナが存在するか否かを判定するが、ここで、まず、装置関連情報をもとに各チューナの使用状態を調べる。そして、装置選択部１１５は、使用中であるチューナについては新たな録画用として使うことができないため、未使用のチューナを録画チューナの候補として選択する。次に、装置選択部１１５は、候補としたチューナの録画の予約状況等も考慮して、録画チューナを選択する。また、第２チューナ２０１、第３チューナ２０２、第４チューナ５０１の全てのチューナが使用中であれば、どの録画対象番組に対しても使用可能なチューナが存在しないこととなり、図６の処理フローは終了する。
【００５５】
＜バックアップ処理の手順＞
次に、バックアップ処理について説明する。録画装置１００は、第１記録領域３０１、第２記録領域４０１、第３記録領域５０２に記録されたテレビ番組のデータが消失したとしても復旧できるように、バックアップ処理を行う。図７は、録画装置１００によるバックアップ処理手順の一例を示すフローチャートである。図７に示す一連の処理は、図６に示す一連の処理と同様に、装置情報取得部１１３が図５に示す手順により装置関連情報を取得するタイミングで行われる。そのため、図７に示す一連の処理は、図６に示す一連の処理の前後、または図６に示す一連の処理と並行して行われることとしても良いし、図６に示す一連の処理とは異なる時期に行われることとしても良い。
【００５６】
まず、装置情報取得部１１３は、各装置から装置関連情報を取得する（ステップ３０１）。そして、装置情報取得部１１３は、装置関連情報を装置情報格納部１１４に格納する。図６に示す一連の処理の後に図７に示す一連の処理が行われる場合、装置情報取得部１１３は図６のステップ１０１で装置関連情報を取得しているので、ステップ３０１の処理を省略しても良い。
【００５７】
次に、装置選択部１１５は、装置情報格納部１１４に格納された装置関連情報の故障推定指標に基づいて、第１記録領域３０１、第２記録領域４０１、第３記録領域５０２から、故障する確率が高いと推定される記録領域をバックアップ元の記録領域として選択する（ステップ３０２）。ここで、装置選択部１１５は、例えば、初回使用日時から経過した期間が予め定められた閾値を超えている記録領域をバックアップ元の記録領域として選択する。また、装置選択部１１５は、例えば、積算アクセス時間が予め定められた閾値を超えている記録領域をバックアップ元の記録領域として選択する。ただし、バックアップ元の記録領域を選択する手順はこのような構成に限られず、装置選択部１１５は、ＭＴＢＦ等、他の故障推定指標を用いてバックアップ元の記録領域を選択しても良い。
【００５８】
次に、番組決定部１１１は、バックアップ元の記録領域において、バックアップ対象番組として決定する番組が存在するか否かを判定する（ステップ３０３）。ステップ３０３の処理は、図６のステップ１０２で録画対象番組として決定する番組が存在するか否かを判定する手順と同様にして行われる。例えば、番組決定部１１１は、バックアップ元の記録領域に記録されている番組の中で、番組名にユーザが予め設定したキーワードが含まれる番組をバックアップ対象番組とする。バックアップ対象番組として決定する番組が存在しなければ（ステップ３０３でＮｏ）、本処理フローは終了する。一方、バックアップ対象番組として決定する番組が存在すれば、番組決定部１１１は、バックアップ対象番組として決定する番組を１つ選択する（ステップ３０４）。
【００５９】
次に、装置選択部１１５は、装置関連情報の故障推定指標に基づいて、第１記録領域３０１、第２記録領域４０１、第３記録領域５０２から、故障する確率が低いと推定される記録領域をバックアップ先の記録領域として選択する（ステップ３０５）。ここで、装置選択部１１５は、まず、残りの容量が、バックアップ対象番組を記録するのに必要となるデータ量以上である記録領域をバックアップ先の記録領域の候補とする。
【００６０】
そして、装置選択部１１５は、候補とした記録領域のうち、例えば、初回使用日時から経過した期間が短い記録領域をバックアップ先の記録領域として選択する。また、装置選択部１１５は、例えば、積算アクセス時間が短い記録領域をバックアップ先の記録領域として選択する。さらに、例えば、ユーザにバックアップ先の記録領域として事前に設定されている記録領域があれば、装置選択部１１５は設定された記録領域をバックアップ先の記録領域として選択する。ただし、バックアップ先の記録領域を選択する手順はこのような構成に限られず、装置選択部１１５は、何らかの手順によりバックアップ先の記録領域を選択すれば良いものとする。また、バックアップ対象番組を記録するのに必要となるデータ量以上である記録領域が存在しない場合、後述するステップ３０７に移行する。
【００６１】
次に、装置選択部１１５は、番組決定部１１１により選択されたバックアップ対象番組、バックアップ元の記録領域、バックアップ先の記録領域の情報を処理実行部１１６に送信する。そして、処理実行部１１６は、バックアップ元の記録領域に記録されたバックアップ対象番組のデータを、バックアップ先の記録領域に記録することで、バックアップ処理を実行する（ステップ３０６）。バックアップ処理の実行後、装置選択部１１５は、装置情報格納部１１４に格納されている装置関連情報において、記録領域の「使用中容量」を更新する。次に、番組決定部１１１は、全てのバックアップ対象番組を選択したか否かを判定する（ステップ３０７）。まだ選択されていないバックアップ対象番組があれば（ステップ３０７でＮｏ）、ステップ３０４へ移行する。一方、全てのバックアップ対象番組が選択されていれば（ステップ３０７でＹｅｓ）、本処理フローは終了する。
【００６２】
このようにして、録画装置１００は、バックアップ元の記録領域を選択し、バックアップ元の記録領域に記録されているバックアップ対象番組を決定する。そして、録画装置１００は、バックアップ先の記録領域を選択し、バックアップ元の記録領域に記録されたバックアップ対象番組のデータを、バックアップ先の記録領域に記録することで、各バックアップ対象番組に対してバックアップ処理を実行する。
【００６３】
また、ステップ３０６において、処理実行部１１６は、バックアップ対象番組のデータをバックアップ元の記録領域から削除していないが、バックアップ先の記録領域に記録した後、バックアップ元の記録領域からバックアップ対象番組のデータを削除することとしても良い。
さらに、ステップ３０２において、装置選択部１１５は、複数のバックアップ元の記録領域を選択しても良い。この場合、バックアップ元の記録領域のそれぞれに対して、ステップ３０３〜３０７の処理が実行されることとなる。
【００６４】
以上、説明したように、録画装置１００は、ネットワーク６００に接続されたチューナ搭載装置２００、第１記録装置３００、第２記録装置４００、チューナ搭載記録装置５００から、各装置が備えるチューナおよび記録領域の情報を取得し、録画対象番組の録画に用いる１つの録画チューナおよび１つの録画記録領域を選択する。そして、録画装置１００は、録画チューナを搭載する装置に対して、録画チューナにて録画対象番組のデータを録画記録領域に記録するように指示を行う。例えば、チューナ搭載記録装置５００において、第４チューナ５０１が使用中であっても、チューナ搭載装置２００に搭載されている第２チューナ２０１や第３チューナ２０２が未使用であれば、未使用の第２チューナ２０１等を用いて第３記録領域５０２にテレビ番組の記録が行なわれる。このようにして、録画システム１における複数のチューナおよび複数の記録領域を有効に活用して、テレビ番組の録画が行われる。
【００６５】
また、例えば、録画装置１００の処理で用いられるチューナや記録領域を追加するには、ネットワーク６００を介して録画装置１００と通信可能なチューナ搭載装置や記録装置等を追加すれば良く、リソースの追加が容易に行われる。
さらに、録画装置１００は、記録領域に記録されたテレビ番組のデータについて、装置の故障等によりデータが消失したとしても復旧できるように、バックアップ処理を行う。そのため、ネットワーク６００を介して録画装置１００と通信可能な記録装置を追加することにより、記録領域の不具合によるテレビ番組のデータに対する影響が抑制される。
【００６６】
＜装置関連情報の取得手順の他の例＞
また、本実施の形態において、装置情報取得部１１３は、図５に示す手順により定期的に各装置の装置関連情報を取得することとしたが、このような構成に限られるものではない。例えば、装置情報取得部１１３は、録画装置１００による何らかの処理が完了したタイミングや、チューナ搭載装置２００等の他装置からの通知を受けたタイミングに、図５に示す手順により各装置の装置関連情報を取得することとしても良い。
【００６７】
また、例えば、装置情報取得部１１３は、ネットワーク６００に新たに装置が接続されたことを検出し、接続された装置に対して装置関連情報の送信要求を行うとともに、他の装置については図５に示す手順により装置関連情報を取得することとしても良い。図８は、録画装置１００による装置関連情報の取得手順の他の例を示すフローチャートである。図８に示す一連の処理は、図５に示す一連の処理と同様に、例えば、上述したＤＬＮＡ（ＵＰｎＰ、ＤＴＣＰ−ＩＰ）等の仕様に基づいて行われるものとする。
【００６８】
装置情報取得部１１３は、ネットワーク６００を介して、録画システム１においてチューナまたは記録領域の少なくともいずれか一方を備えている装置の接続を待ち受ける（ステップ４０１）。例えば、ＵＰｎＰの場合、ネットワーク６００に接続された装置は、ＮＯＴＩＦＹと呼ばれるメッセージをマルチキャストパケットとして送信する。そして、装置情報取得部１１３はそのマルチキャストパケットを受信することで、接続された装置を検出する。
【００６９】
次に、装置情報取得部１１３は、ネットワーク６００に新たに接続されたものとして検出した装置に対して装置関連情報の送信を要求し、装置関連情報を取得する（ステップ４０２）。ステップ４０２では、ステップ１０２と同様の処理が行われる。そして、装置情報取得部１１３は、取得した装置関連情報を装置情報格納部１１４に格納する（ステップ４０３）。ステップ４０３では、ステップ１０３と同様の処理が行われる。
【００７０】
このようにして、装置情報取得部１１３は、ネットワーク６００に新たに接続された装置を検出して、検出した装置から装置関連情報を取得する。また、装置情報取得部１１３は、続けて図５の手順により他の装置の装置関連情報を取得し、図６の録画処理や図７のバックアップ処理が行われる。
【００７１】
また、本実施の形態において、録画装置１００は第１チューナ１０１を備え、第１チューナ１０１により各チャンネルのテレビ番組に関する情報を取得することとしたが、このような構成に限られるものではない。例えば、録画装置１００は、録画装置１００の外部に設けられたチューナからテレビ番組に関する情報を取得したり、インターネットからダウンロードしてテレビ番組に関する情報を取得したりすることとしても良い。また、本実施の形態において、録画装置１００は、第１チューナ１０１をテレビ番組の情報を受信するために用いることとしたが、さらに、テレビ番組の録画に用いることとしても良い。
【００７２】
さらに、本実施の形態において、録画装置１００を１つの装置として設けることとしたが、このような構成に限られるものではない。例えば、チューナ搭載装置２００やチューナ搭載記録装置５００等のチューナを備える他の装置が、録画装置１００の機能を有することとしても良い。この場合、装置情報取得部１１３は、録画装置１００が有するチューナや記録領域の情報を取得する。
【００７３】
そして、本実施の形態において、録画システム１は、チューナ搭載装置２００、第１記録装置３００、第２記録装置４００、チューナ搭載記録装置５００を備える構成、即ち、チューナ搭載装置を１台、記録装置を２台、チューナ搭載記録装置を１台備える構成としたが、このような構成に限られるものではない。録画システム１は、複数のチューナおよび複数の記録領域を備えたシステムとして構成されるものとする。
【００７４】
＜プログラムの説明＞
以上説明を行った本実施の形態における録画装置１００が行う処理は、例えば、アプリケーションソフトウェア等のプログラムとして用意される。
【００７５】
よって、録画装置１００が行う処理は、コンピュータに、録画の対象とするテレビジョン放送の番組を決定する機能と、テレビジョン放送を受信する複数の受信機の情報を取得し、番組のデータが記録される複数の記録領域の情報を取得する機能と、取得された受信機の情報と記録領域の情報とに基づいて、決定された番組の録画に用いる１つの受信機および１つの記録領域を選択する機能とを実現させるためのプログラム、として捉えることもできる。
【００７６】
なお、本発明の実施の形態を実現するプログラムは、通信手段により提供することはもちろん、ＣＤ−ＲＯＭ等の記録媒体に格納して提供することも可能である。
【符号の説明】
【００７７】
１…録画システム、１００…録画装置、１１１…番組決定部、１１２…番組情報格納部、１１３…装置情報取得部、１１４…装置情報格納部、１１５…装置選択部、１１６…処理実行部、２００…チューナ搭載装置、３００…第１記録装置、４００…第２記録装置、５００…チューナ搭載記録装置
【図１】
2015103946.tif 000003
【図２】
2015103946.tif 000004
【図３】
2015103946.tif 000005
【図４】
2015103946.tif 000006
【図５】
2015103946.tif 000007
【図６】
2015103946.tif 000008
【図７】
2015103946.tif 000009
【図８】
2015103946.tif 000010